(57)【要約】【課題】簡素な構成にて、二次電池を搭載した電気機器への電源供給／遮断の切替を可能とし、且つ、一見して当該電源供給状態を把握可能とすることを目的とする。【解決手段】この目的を達成するため、二次電池を備えた電気機器と、商用電源から供給される交流電力を直流電力に変換するＡＣアダプタとの間に接続される電源接続器であって、二次電池を備えた電気機器に接続する給電部と、ＡＣアダプタに接続する電気配線のコネクタが接続される受電部とを有する本体を備え、本体には、ＡＣアダプタから二次電池を備えた電気機器への直流電力の供給／遮断を切り替える電源切替手段を設けた電源接続器を採用する。【選択図】図１
2014086235.tif 000002
【特許請求の範囲】
【請求項１】
二次電池を備えた電気機器と、商用電源から供給される交流電力を直流電力に変換するＡＣアダプタとの間に接続される電源接続器であって、
当該二次電池を備えた電気機器に接続する給電部と、当該ＡＣアダプタに接続する電気配線のコネクタが接続される受電部とを有する本体を備え、
当該本体には、当該ＡＣアダプタから当該二次電池を備えた電気機器への直流電力の供給／遮断を切り替える電源切替手段を設けたことを特徴とする電源接続器。
【請求項２】
前記本体は、前記受電部に接続される前記電気配線のコネクタの脱落を防止するロック部を備える請求項１の電源接続器。
【請求項３】
前記電気配線のコネクタは、Ｌ字状コネクタであり、
前記本体は、隣り合う２側面及び上面が連続して開口する電気配線収容部を備え、
前記受電部は、前記電気配線収容部内の底面に、上面に開口して形成されると共に、
前記ロック部は、前記受電部の投影面上方を回避した位置に、前記電気配線収容部の上縁から当該電気配線収容部内方に向けて略水平に延出して設けられ、前記電気配線のコネクタを、前記受電部に接続した状態で、略水平方向に９０°回転させた電気配線のコネクタが上方に移動することを規制する請求項２に記載の電源接続器。
【請求項４】
前記電源切替手段は、前記本体の上面に設けられる請求項１〜請求項３のいずれかに記載の電源接続器。
【請求項５】
前記本体の上面には、前記ＡＣアダプタから前記二次電池を備えた電気機器への直流電力の供給／遮断を報知する報知ランプを備える請求項１〜請求項４のいずれかに記載の電源接続器。
【請求項６】
前記受電部は、前記給電部が設けられる側とは反対側の側部に設けられる請求項１〜請求項５のいずれかに記載の電源接続器。
【請求項７】
前記受電部は、前記給電部が設けられる側と同じ側の側部に設けられる請求項１〜請求項５のいずれかに記載の電源接続器。
【請求項８】
前記二次電池を備えた電気機器は、ノート型パーソナルコンピュータであり、
前記本体の高さ寸法は、少なくとも、当該ノート型パーソナルコンピュータのキーボード部の高さ寸法よりも高く形成される請求項１〜請求項７のいずれかに記載の電源接続器。
【発明の詳細な説明】
【技術分野】
【０００１】
本件出願にかかる発明は、二次電池を備えた電気機器と、商用電源から供給される交流電力を直流電力に変換するＡＣアダプタとの間に接続される電源接続器に関する。
【背景技術】
【０００２】
近年、工場や事業所、一般家庭では、消費電力量を極力低減する節電活動が活発化している。例えば、工場や事業所では、作業者の日中の休憩時間に、一斉に施設の照明を消灯するなど、種々の省エネ活動が実施されている。事業所内には、パーソナルコンピュータ（以下、パソコンと称する。）等の端末が多数の設置されている。休憩時間等の一斉消灯に伴って、これら端末を省電力モードに切り替えて、消費電力量を低減することで、より節電効果の実行を図ることが求められている。
【０００３】
パソコンの中でも、ノート型（ラップトップ型）のパソコンは、二次電池を搭載している。このノート型パソコンでは、ＡＣアダプタで商用ＡＣ電源を１０数ＶのＤＣに降圧して二次電池に給電し、当該二次電池の充電を行う。ノート型パソコンに商用ＡＣ電源からの電源供給が絶たれた場合には、二次電池を放電させることで、継続してノート型パソコンを稼働させることができる。通常、事業所内で用いられるノート型パソコンの多くは、ＡＣアダプタのプラグをコンセントに接続した状態のままで使用されている。そのため、上述の一斉消灯時には、ノート型パソコンへの電源供給を絶つことで、格別にノート型パソコンの電源をＯＦＦとすることなく、一斉節電の実行を図ることができる。
【０００４】
ノート型パソコンへのＡＣ電源の供給を絶つ方法としては、ノート型パソコンに接続されたＡＣアダプタのプラグをコンセントから抜く方法がある。しかし、パソコンなどの端末や、周辺機器等が複数設置されている事業所では、コンセントに接続されるプラグの数は、かなり多い。そのため、目的とするノート型パソコンのＡＣアダプタのプラグを探し出すことは、困難であり、煩雑な作業を強いられることとなる。また、目的とするプラグではなく、異なる端末等のプラグを取り違えてコンセントから抜いてしまうと、二次電池を備えていない電気機器のプラグを抜いてしまうことがある。
【０００５】
ＡＣアダプタのコネクタをノート型パソコンの差込口から抜くことで、ノート型パソコンへのＡＣ電源の供給を絶つことも可能であるが、この場合には、抜き差し作業が頻回となることで、緩みが生じ、接続不良の原因となる。
【０００６】
例えば、特許文献１には、プラグのコンセントへの頻回な抜き差し作業を回避することを目的として、「複数のコンセントを有し、各コンセントに対応して電源スイッチが設けられたテーブルタップ」が開示されている。このテーブルタップは、プラグが差し込まれた各コンセントに対応する電源スイッチをＯＮ／ＯＦＦすることにより、プラグの抜き差し作業を行うことなく、プラグに対応する電気機器の電源の供給／遮断を行うことができる。
【先行技術文献】
【特許文献】
【０００７】
【特許文献１】特開平１１−８０３２号公報
【発明の概要】
【発明が解決しようとする課題】
【０００８】
しかし、特許文献１のテーブルタップを使用した場合、各テーブルタップの場所まで移動して逐一、対応するプラグの電源スイッチをＯＮ／ＯＦＦ操作する必要がある。従って、特許文献１のテーブルタップを使用した場合であっても、テーブルタップを探し出す必要がある。テーブルタップには、複数のプラグが接続されているため、目的とするプラグを判別するのに煩雑な確認作業を伴う問題がある。
【０００９】
また、特許文献１のテーブルタップを使用し、目的とするプラグの電源をＯＦＦとすることができた場合であっても、当該ノート型のパソコンは、二次電池が充電された状態であれば、二次電池からの放電により稼働することができる。一方で、ノート型パソコンは、設定により待機状態や、休止状態とされてディスプレイが消灯している場合があり、一見して、電源供給状態を把握することが困難である。
【００１０】
上述の一斉節電体制がとられた際には、ディスプレイが点灯していてもＡＣ電源からの電源供給が行われていないノート型パソコンと、ディスプレイが消灯していてもＡＣ電源からの電源供給が行われているノート型パソコンが混在することが想定されるため、一見してＡＣ電源からの電源供給状態を把握することができない問題がある。そのため、市場から、簡素な方法により、ＡＣ電源からノート型パソコンへの電源供給状態を切替、且つ、把握可能とし、有効な省エネ活動を行うことができる技術の開発が望まれていた。
【課題を解決するための手段】
【００１１】
そこで、本件発明者等は、鋭意研究の結果、本件発明にかかる電源接続器を提供することで、簡素な構成にて、二次電池を搭載した電気機器への電源供給／遮断の切替を可能とし、且つ、一見して当該電源供給状態を把握可能とすることに想到したのである。
【００１２】
本件出願にかかる電源接続器は、二次電池を備えた電気機器と、商用電源から供給される交流電力を直流電力に変換するＡＣアダプタとの間に接続される電源接続器であって、当該二次電池を備えた電気機器に接続する給電部と、当該ＡＣアダプタに接続する電気配線のコネクタが接続される受電部とを有する本体を備え、当該本体には、当該ＡＣアダプタから当該二次電池を備えた電気機器への電力の供給／遮断を切り替える電源切替手段を設けたことを特徴とする。
【００１３】
また、本件出願にかかる電源接続器は、前記本体が、前記受電部に接続される前記電気配線のコネクタの脱落を防止するロック部を備えることが好ましい。
【００１４】
また、本件出願にかかる電源接続器は、前記電気配線のコネクタは、Ｌ字状コネクタであり、前記本体は、隣り合う２側面及び上面が連続して開口する電気配線収容部を備え、前記受電部は、前記電気配線収容部内の底面に、上面に開口して形成されると共に、前記ロック部は、前記受電部の投影面上方を回避した位置に、前記電気配線収容部の上縁から当該電気配線収容部内方に向けて略水平に延出して設けられ、前記電気配線のコネクタを、前記受電部に接続した状態で、略水平方向に９０°回転させた電気配線のコネクタが上方に移動することを規制することが好ましい。
【００１５】
また、本件出願にかかる電源接続器は、前記電源切替手段が、前記本体の上面に設けられることが好ましい。
【００１６】
また、本件出願にかかる電源接続器は、前記本体の上面には、前記ＡＣアダプタから前記二次電池を備えた電気機器への電力の供給／遮断を報知する報知ランプを備えることが好ましい。
【００１７】
更に、本件出願にかかる電源接続器は、前記受電部が、前記給電部が設けられる側とは反対側の側部に設けられることが好ましい。
【００１８】
また、本件出願にかかる電源接続器は、前記受電部が、前記給電部が設けられる側と同じ側の側部に設けられることが好ましい。
【００１９】
また、本件出願にかかる電源接続器は、前記二次電池を備えた電気機器は、ノート型パーソナルコンピュータであり、前記本体の高さ寸法は、少なくとも、当該ノート型パーソナルコンピュータのキーボード部の高さ寸法よりも高く形成されることが好ましい。
【発明の効果】
【００２０】
本発明の電源接続器によれば、二次電池を備えた電気機器を本体の給電部に接続し、ＡＣアダプタに接続する電気配線のコネクタを受電部に接続することで、二次電池を備えた電気機器への電源供給を電源切替手段によって、容易に切り替えることができる。
【００２１】
二次電池を備えた電気機器として、例えば、ノート型パソコンを採用した場合、当該ノート型パソコンの周辺に電源接続器の本体を配置することで、他の周辺機器と取り違えることなく、ユーザの手元で、電源切替手段を操作して、当該ノート型パソコンへのＡＣアダプタからの直流電力の供給／遮断を行うことができる。
【００２２】
従って、設置箇所における一斉消灯時に、本件発明の電源接続器の電源切替手段を切り替えれば、ノート型パソコンへの電力供給／遮断を行うことができる。これにより、煩雑な作業を伴うことなく、一斉節電の実行を図ることができる。
【００２３】
これ以外にも、施設全体の消費電力量が大きくなるピークを回避した二次電池を備えた電気機器への充電を実現することができる。すなわち、予測される消費電力量のピーク時となる前に、あらかじめ二次電池を備えた電気機器の二次電池の充電を十分に行っておき、消費電力量のピーク時に、本件発明の電源接続器の電源切替手段を操作して、二次電池を備えた電気機器へのＡＣアダプタからの直流電力の供給を遮断する。当該消費電力量のピーク時は、二次電池を備えた電気機器は、搭載する二次電池を放電させることで動作させることができる。これにより、消費電力量のピーク時の電力消費量の低減に寄与することができる。
【００２４】
また、二次電池を備えた電気機器は、二次電池の充電量が１００％となるまで充電を行い、充電量が１００％となると充電を停止し、当該充電量が所定のしきい値となるまで放電する。当該しきい値まで放電されると、二次電池を備えた電気機器は、再度充電を開始する制御を繰り返す。当該充放電の制御が頻回に行われると、二次電池自体の寿命が短くなる問題がある。しかし、本件発明の電源接続器を用いることにより、二次電池の充電量が満充電又は、満充電に近い場合、ユーザが電源切替手段を操作して二次電池を備えた電気機器へのＡＣアダプタからの直流電力の供給を遮断し、二次電池の充電量が減ってきた場合に、ユーザが電源切替手段を操作して二次電池を備えた電気機器へのＡＣアダプタからの直流電力の供給を行うことができる。これにより、従来のような頻回な充放電を回避することができ、二次電池の寿命を長くすることができる。
【図面の簡単な説明】
【００２５】
【図１】本発明にかかる電源接続器の斜視図である。
【図２】図１の電源接続器に電気配線のコネクタを接続した状態を示す斜視図である。
【図３】本件発明にかかる電源接続器の使用説明図である。
【図４】本件発明にかかる電源接続器を正面からみた写真である。
【図５】本件発明にかかる電源接続器を背面からみた写真である。
【図６】本件発明にかかる電源接続器を右側面からみた写真である。
【図７】本件発明にかかる電源接続器を左側面からみた写真である。
【図８】本件発明にかかる電源接続器を上面からみた写真である。
【図９】本件発明にかかる電源接続器を底面からみた写真である。
【図１０】本件発明にかかる電源接続器を斜め上方からみた写真である。
【図１１】本件発明にかかる電源接続器の使用状態を示す写真である。
【発明を実施するための形態】
【００２６】
以下、本件発明にかかる電源接続器の実施形態を図面を参照しながら説明する。図１は本実施の形態の電源接続器１の斜視図、図２は図１の受電部５に電気配線２０のコネクタ２１を接続した状態の電源接続器１の斜視図、図３は電源接続器１の使用状態を説明する図である。なお、図４〜図１１は、本件発明の電源接続器１の実物の写真である。図４は電源接続器を正面からみた写真、図５は電源接続器を背面からみた写真、図６は電源接続器を右側面からみた写真、図７は電源接続器を左側面からみた写真、図８は電源接続器を上面からみた写真、図９は電源接続器を底面からみた写真、図１０は電源接続器を斜め上方からみた写真、図１１は電源接続器の使用状態を示す写真である。
【００２７】
本件発明にかかる電源接続器１は、二次電池を備えた電気機器と、商用ＡＣ電源との間に接続して用いるものである。二次電池を備えた電気機器は、例えば、ノート型(ラップトップ型)パソコン、タブレットパソコンやスレートパソコンなどの携帯情報端末、携帯電話、スマートフォン、電子ブック、携帯型ゲーム機、携帯型音楽プレーヤー、携帯型ビデオプレーヤー、携帯型テレビジョン受信器、携帯型ラジオ等がある。
【００２８】
本実施の形態では、二次電池を備えた電気機器としてノート型パソコンＣを用いた場合を例に挙げて説明する。本件発明にかかる電源接続器１が用いられるノート型パソコンＣは、事業所などで他のパソコンや周辺機器等と共に複数設置される。通常、ノート型パソコンＣは、商用ＡＣ電源から供給される交流電流がＡＣアダプタにより直流電流に変換されて、給電される。ノート型パソコンＣは、二次電池の充電量が１００％となるまで充電を行い、充電量が１００％となると充電を停止し、当該充電量が所定のしきい値となるまで放電する。当該しきい値まで放電されると、ノート型パソコンＣは、再度充電を開始する制御を繰り返す。
【００２９】
このように、ノート型パソコンＣのような二次電池を備えた電気機器は、常時商用ＡＣ電源からの電力が供給されなくても、二次電池からの放電によって稼働が可能である。従って、ノート型パソコンＣを複数台設置した事業所などでは、一斉消灯等の節電活動を実施する際に、各ノート型パソコンＣの商用ＡＣ電源からの電力の供給を停止することが励行されている。本件発明の電源接続器１は、このような二次電池からの放電によって稼働が可能なノート型パソコンＣ等の電気機器への商用ＡＣ電源からの電力の供給／遮断を切り替えるために用いられる。
【００３０】
本実施の形態としての電源接続器１は、二次電池を備えた電気機器としてのノート型パソコンＣに接続する給電部３と、商用ＡＣ電源から供給される交流電力を直流電力に変換するＡＣアダプタ３０に接続する電気配線２０のコネクタ２１が接続される受電部５とを有する本体２を備える。本体２には、商用ＡＣ電源から当該ノート型パソコンＣへの電力の供給／遮断を切り替える電源切替手段としての電源スイッチ６が設けられている。
【００３１】
本体２は、例えば、硬質合成樹脂によって構成される筐体であり、電源接続器１としての利便性、取扱性を考慮し、手のひら大の寸法に構成される。本体２の一方の側端面２Ａに、ノート型パソコンＣに接続する給電部３が設けられる。この給電部３は、本体２内から引き出される電気配線３Ａと、当該電気配線３Ａの端部に設けられるコネクタ３Ｂから構成される。なお、本体２内から引き出される電気配線３Ａの長さは、目的とする使用形態によって変更可能であるが、本実施の形態のように、ノート型パソコンＣに接続されて当該ノート型パソコンＣの周辺に設置して用いる場合には、５ｃｍ〜３０ｃｍであることが好ましい。
【００３２】
本体２の給電部３が設けられる側端面２Ａとは反対側の側部２Ｂに、受電部５が設けられる。受電部５には、電気配線２０を介してＡＣアダプタ３０が着脱自在に接続される。ＡＣアダプタ３０は、商用ＡＣ電源から供給される交流電力を直流電力に変換するものである。本実施の形態では、ＡＣアダプタ３０の受電部には、端部に商用ＡＣ電源のコンセントに接続する電源プラグ３２が設けられた電気配線３１が接続される。ＡＣアダプタ３０の給電部には、電気配線２０の一端に設けられたコネクタ２２が接続される。電気配線２０の他端には、電源接続器１の受電部５に接続するコネクタ２１が設けられている。このコネクタ２１は、ノート型パソコンＣの電源の差込口に接続して用いることが可能とされており、本件発明の電源接続器１を用いない場合には、直接当該コネクタ２１をノート型パソコンＣの電源の差込口に接続して用いる。本実施の形態では、当該コネクタ２１は、給電端子２１Ａと当該コネクタ２１から引き出される電気配線２０とが略９０°の角をなすいわゆるＬ字状コネクタである。
【００３３】
本体２の受電部５に接続された状態の電気配線２０のコネクタ２１は、当該本体２に形成される電気配線収容部１１内に収容される。この電気配線収容部１１は、受電部５に接続される電気配線２０のコネクタ２１の脱落を防止するロック部１０を兼ね備えるものである。本実施の形態において、電気配線収容部１１は、本体２の受電部５が設けられる側部２Ｂの一部を、上方及び隣り合う２側方から切り欠くことで、上面開口１１Ａと、隣り合う第１の側面開口１１Ｂ及び第２の側面開口１１Ｃが連続して開口する形状に形成される。当該電気配線収容部１１内の底面１１Ｄに、受電部５が形成される。当該受電部５は、上面に開口する差込口５Ａを有しており、当該差込口５Ａの投影面上方は、本体２に遮られることなく、上面開口１１Ａと合致する。これにより、差込口５Ａ上方からのコネクタ２１の抜き差しが可能となる。
【００３４】
ロック部１０は、受電部５の差込口５Ａの投影面上方を回避した位置であって、電気配線収容部１１の第２の側面開口１１Ｃ側の上面開口１１Ａ縁から電気配線収容部１１内方（第１の側面開口１１Ｂ）に向けて略水平に延出して設けられる。当該ロック部１０は、少なくとも、受電部５に電気配線２０のコネクタ２１を接続した状態で、当該コネクタ２１の上端よりも高い位置となるように形成されている。
【００３５】
電気配線２０のコネクタ２１を電源接続器１の受電部５に接続する場合には、電気配線２０のコネクタ２１を、給電端子２１Ａを差込口５Ａ側に向けた状態で、電気配線収容部１１の上面開口１１Ａと、ロック部１０が設けられていない第１の側面開口１１Ｂとが連通する側から、当該電気配線収容部１１内に進入させ、当該コネクタ２１を電気配線収容部１１の底面１１Ｄに形成された受電部５の差込口５Ａに差し込む。
【００３６】
そして、受電部５の差込口５Ａに接続された状態の電気配線２０のコネクタ２１を、電気配線収容部１１の第１の側面開口１１Ｂと第２の側面開口１１Ｃとが連通する範囲において、略水平方向に９０°回転させる。第１の側面開口１１Ｂから、ロック部１０が設けられる第２の側面開口１１Ｃ側に水平方向に電気配線２０のコネクタ２１を回転させると、ロック部１０の下方に、電気配線２０のコネクタ２１の引出配線部分が配置される。当該電気配線２０のコネクタ２１は、上方に位置するロック部１０によって、引き抜き方向に相当する上方に移動することが規制される。
【００３７】
このように、電源接続器１の受電部５に接続された状態の電気配線２０のコネクタ２１は、ロック部１０によって引き抜く方向、この場合、上方への移動が規制されるため、周辺機器が衝突してもコネクタ２１が受電部５から抜け落ちる不都合を防止することができる。
【００３８】
本実施の形態では、ロック部１０が設けられる側の第２の側面開口１１Ｃは、給電部３が設けられる側端面２Ａとは反対側の端面に形成する。第２の側面開口１１Ｃを給電部３が設けられる側とは反対側の端面に形成することで、ロック部１０によってコネクタ２１がロックされた電気配線２０は、本体２の給電部３の電気配線３Ａが引き出される側とは反対側に引き出される。そのため、本体２に接続されるノート型パソコンＣ側に接続される電気配線３Ａと、ＡＣアダプタ３０側に接続される電気配線２０とは直線状となり、配線の取り回し性の向上を図ることができる。
【００３９】
なお、ロック部１０の構成は、上述した構成に限定されるものではない。ロック部１０の構成は、受電部５に接続された電気配線２０のコネクタ２１の脱落を防止することができる構成であれば、他の構成を採用してもよい。また、本実施の形態では、電気配線２０のコネクタ２１としてＬ字状コネクタを用いた場合について説明しているが、当該コネクタ２１は、当該Ｌ字状コネクタに限定されるものではない。例えば、直線状コネクタを用いた場合、受電部５は本体２の側端面に構成し、ロック部１０は、当該受電部５に接続された直線上コネクタを引き抜き方向への移動を規制する構成を採用することができる。
【００４０】
一方、上述した電源スイッチ６は、本体２内に設けられる電源供給ラインのＯＮ／ＯＦＦを行うものである。本体２内に設けられる電源供給ラインは、一端が、上述した給電部３に接続され、他端が、受電部５に接続されている。電源スイッチ６は、ＯＮの状態で、商用ＡＣ電源から当該ノート型パソコンＣへの電力の供給を可能とし、ＯＦＦの状態で、商用ＡＣ電源から当該ノート型パソコンＣへの電力の供給を遮断する。
【００４１】
本実施の形態では、電源スイッチ６は、本体２の上面に設けられる。本実施の形態において採用する電源スイッチ６は、本体２側に押された状態でＡＣアダプタ３０から当該ノート型パソコンＣへの直流電力の供給を可能とし、本体２側から押し戻された状態で、ＡＣアダプタ３０から当該ノート型パソコンＣへの直流電力を遮断する構成を採用する。これにより、ＡＣアダプタ３０からノート型パソコンＣへの電源供給の切替操作性を良好とすることができる。また、本体２の上面に設けられる電源切替スイッチの状態を見ることで、ＡＣアダプタから当該ノート型パソコンＣへの電力供給の状態を容易に把握することができる。なお、当該電源スイッチ６の構成は、上述した構成に限定されるものではなく、一般的にＯＮ／ＯＦＦ操作に用いられるスイッチであれば、いずれのものを採用することができる。
【００４２】
更に、本実施の形態の電源接続器１は、本体２の上面にＡＣアダプタ３０からノート型パソコンＣへの直流電力の供給／遮断を報知する報知ランプ７を有する。本実施の形態では、ＡＣアダプタ３０からノート型パソコンＣへの電力の供給時に、報知ランプ７を点灯させ、ＡＣアダプタ３０からノート型パソコンＣへの電力の供給遮断時に、報知ランプ７を消灯する。これにより、報知ランプ７の点灯状態で、ＡＣアダプタ３０からノート型パソコンＣへの給電状態を容易に把握することができる。従って、電源接続器１が接続されるノート型パソコンＣのディスプレイの点灯状態に影響されることなく、一見して、当該ノート型パーソナルコンピュータへの給電状態を認識することができる。
【００４３】
本実施の形態の電源接続器１は、本体２の高さ寸法が、使用目的の対象とされるノート型パソコンＣのキーボード部Ｃ１の高さ寸法よりも高く形成されることが好ましい。このように、ノート型パソコンＣのキーボード部Ｃ１の高さ寸法よりも、電源接続器１の本体２の高さを高く構成することで、ノート型パソコンＣのディスプレイ部が開放された状態で、電源接続器１の本体１は、キーボード部Ｃ１よりも突出した状態となる。従って、ノート型パソコンＣの周辺機器に電源接続器１が埋もれた状態であっても、一見して電源接続器１の存在を把握でき、給電状態を認識することができる。従って、節電管理性の向上を図ることができる。
【００４４】
以上、詳述したように、本件発明にかかる電源接続器１は、本体２の給電部３のコネクタ３を、例えば、ノート型パソコンＣのような二次電池を備えた電気機器の電源差込口に接続し、本体２の受電部５に、ＡＣアダプタ３０に接続する電気配線２０のコネクタ２１接続する。この状態で、本体２の上面に設けられた電源スイッチ６を操作することにより、ＡＣアダプタ３０からノート型パソコンＣなどの二次電池を備えた電気機器への電源供給／供給遮断を、容易に切り替えることができる。
【００４５】
従って、本実施の形態のように、二次電池を備えた電気機器として、例えば、ノート型パソコンＣを採用した場合には、当該ノート型パソコンＣの周辺に電源接続器１の本体２を配置することで、他の周辺機器と取り違えることなく、ユーザの手元で、本体２の電源スイッチ６を操作して、ＡＣアダプタ３０から当該ノート型パソコンＣへの電源供給の供給／遮断を行うことができる。
【００４６】
そのため、設置箇所において、一斉消灯などを行う場合であっても、煩雑な作業を伴うことなく、各ノート型パソコンＣへの直流電力の供給／遮断を行うことができ、一斉節電の実行を図ることができる。
【００４７】
これ以外にも、施設全体の消費電力量が大きくなるピークを回避したノート型パソコンＣへの充電を実現することができる。すなわち、予測される消費電力量のピーク時となる前に、あらかじめノート型パソコンＣの二次電池の充電を十分に行っておき、消費電力量のピーク時に、本件発明の電源接続器１の電源スイッチ６を操作して、ノート型パソコンＣへのＡＣアダプタ３０からの直流電力の供給を遮断する。当該消費電力量のピーク時は、ノート型パソコンＣは、搭載する二次電池を放電させることで動作させることができる。これにより、消費電力量のピーク時の電力消費量の低減に寄与することができる。
【００４８】
また、二次電池の充電量が満充電又は、満充電に近い場合、ユーザが本件発明の電源接続器１の電源スイッチ６を操作してノート型パソコンＣへのＡＣアダプタ３０からの直流電力の供給を遮断する。そして、二次電池の充電量が減ってきた場合に、ユーザは、本件発明の電源接続器１の電源スイッチ６を操作してノート型パソコンＣへのＡＣアダプタ３０からの直流電力の供給を行うことができる。これにより、従来のような頻回な充放電を回避することができ、二次電池の寿命を長くすることができる。
【００４９】
なお、本実施の形態では、受電部を、本体２の給電部３が設けられる側と反対側の側部２Ｂに設けているが、これに限定されるものではなく、当該受電部を、本体２の給電部３が設けられる側と同じ側の側部に設けてもよい。
【００５０】
この場合、給電部３から引き出される商用ＡＣ電源側に接続される電気配線３Ａと、ノート型パソコンＣに接続される電気配線とを、本体２の同じ側から引き出して使用することができる。そのため、ノート型パソコンＣの側面に、当該電源接続器１を沿わせて配置した場合、当該電源接続器１から引き出される電気配線をまとめてノート型パソコンＣの背面側に引き出すことができる。従って、ノート型パソコンＣ周辺の配線をすっきりと整理することができる。
【産業上の利用可能性】
【００５１】
本件発明にかかる電源接続器は、二次電池を備えた電気機器を本体の給電部に接続し、ＡＣアダプタに接続する電気配線のコネクタを受電部に接続することで、二次電池を備えた電気機器へのＡＣアダプタからの直流電力の供給を電源切替手段によって、容易に切り替えることができる。従って、節電活動の一環として行われる一斉消灯時に、ユーザの手元で、電源切替手段を操作して、当該ノート型パソコンへのＡＣアダプタからの直流電力の供給／遮断を行うことができる。更に、二次電池の充電状況に応じて、ユーザが任意でノート型パソコンへのＡＣアダプタからの直流電力の供給／遮断を行うことができ、頻回な充放電制御を回避できる。これにより、二次電池の延命を図ることができる。
【符号の説明】
【００５２】
１    電源接続器
２    本体
２Ａ  側端面
３    給電部
３Ａ  電気配線
３Ｂ  コネクタ
５    受電部
６    電源スイッチ（電源切替手段）
７    報知ランプ
１０    ロック部
１１    電気配線収容部
１１Ａ  上面開口
１１Ｂ  第１の側面開口
１１Ｃ  第２の側面開口
１１Ｄ  底面
２０、３１  電気配線
２１、２２  コネクタ
２１Ａ  給電端子
３０    ＡＣアダプタ
３２    電源プラグ
【図１】
2014086235.tif 000003
【図２】
2014086235.tif 000004
【図３】
2014086235.tif 000005
【図４】
2014086235.tif 000006
【図５】
2014086235.tif 000007
【図６】
2014086235.tif 000008
【図７】
2014086235.tif 000009
【図８】
2014086235.tif 000010
【図９】
2014086235.tif 000011
【図１０】
2014086235.tif 000012
【図１１】
2014086235.tif 000013